(57)【要約】      （修正有）【課題】消費電力量を抑えながら誘目性を向上させることができる視線誘導体を提供する。【解決手段】電圧印加状態で液晶内の分子が配向され光を透過し、電圧除去状態では液晶内の分子が配向を解かれ光を遮るようになされた液晶シート２を再帰反射するプリズム反射体４の前面に取着し、液晶シート２への電圧を制御し、液晶シート２への電圧の印加←→除去を交互に繰り返せば、液晶シート２はその都度、透明←→不透明となることから、車両のヘッドライド等が視線誘導体Ｒに照射されている間の反射輝度を変化させる事ができるため、視線誘導体Ｒに対するドライバーの誘目性を向上させる事ができる。【選択図】        図２
2006207169.tif 000002
【特許請求の範囲】
【請求項１】
車両のヘッドライト等を再帰反射する反射体と、その前面に取着され、電圧印加状態で液晶内の分子が配向され光を透過し、電圧除去状態では液晶内の分子が配向を解かれ光を遮るようになされた液晶シートと、を備え、該液晶シートへの電圧が制御されるようになされたことを特徴とする視線誘導体。
【請求項２】
前記液晶シートの前面に、液晶シートを保護する保護材が取着されていることを特徴とする請求項１に記載の視線誘導体。
【発明の詳細な説明】
【技術分野】
【０００１】
本発明は、道路の側縁や中央分離帯等に設置され、道路利用者に対し前方の道路線形や車道の縁端を認知させる視線誘導標や道路鋲等に用いる視線誘導体に関するものである。
【背景技術】
【０００２】
視線誘導体については種々の発明がなされてきており、例えば特許文献１には、再帰反射要素を有する再帰反射材が支持体の主面に固定され、当該再帰反射材には最表面を覆う被服層が設けられている再帰反射物品に用いられている視線誘導体が開示されている。
【０００３】
更に、特許文献２には、走行する車両に向けて発光可能に形成されるとともに矢印状の表示を有する誘導表示部と、前記誘導表示部と同一面に設けられて発光可能に形成されるとともに車両形状の表示を有する警告表示部とを備えた発光式誘導警告装置に用いられている視線誘導体が開示されている。
【０００４】
【特許文献１】特開２００２―２０６２１２号公報
【特許文献２】特開２０００―２６５４２５号公報
【発明の開示】
【発明が解決しようとする課題】
【０００５】
しかしながら、特許文献１に記載の視線誘導体では、車両のヘッドライト等を受けて再帰反射する再帰反射材のみからなる視線誘導体であるため、その反射輝度はヘッドライト等を受けている間は変化のない定常的なものとなり、ドライバーの視線を視線誘導体に向けさせる性能（以下、この性能を「誘目性」と言う）に優れているとは言い辛い。
【０００６】
また、特許文献２に記載の視線誘導体では、誘目性を向上させるために、発光可能に形成された誘導表示部を備えており、その発光には発光ダイオードが用いられ、発光ダイオードを点滅発光させることによって、発光輝度を変化させ誘目性を向上させている。しかしながら、誘導表示部の誘目性を向上させるには、発光ダイオードを数多く配置する必要があり、発光ダイオードの消費する電力量が増加してしまうという問題があった。
【０００７】
本発明は上記の如き課題を解決するためになされたものであり、消費電力量を抑えながら誘目性を向上させることができる視線誘導体を提供せんとするものである。
【課題を解決するための手段】
【０００８】
上記目的を達成するため、本発明は以下のような構成としている。
すなわち、本発明に係わる視線誘導体は、車両のヘッドライト等を再帰反射する反射体と、その前面に取着され、電圧印加状態で液晶内の分子が配向され光を透過し、電圧除去状態では液晶内の分子が配向を解かれ光を遮るようになされた液晶シートと、を備え、該液晶シートへの電圧が制御されるようになされたことを特徴とするものである。
【０００９】
また、本発明は前記構成に加えて、前記液晶シートの前面に、液晶シートを保護する保護材が取着されていることを特徴とするものである。
【発明の効果】
【００１０】
本発明に係る視線誘導体によれば、電圧印加状態で液晶内の分子が配向され光を透過し、電圧除去状態では液晶内の分子が配向を解かれ光を遮るようになされた液晶シートを再帰反射する反射体の前面に取着し、液晶シートへの電圧を制御するようにすれば、液晶シートへの電圧の印加←→除去を交互に繰り返せば、液晶シートはその都度、透明←→不透明となることから、車両のヘッドライド等が視線誘導体に照射されている間の反射輝度を変化させる事ができるため、視線誘導体に対するドライバーの誘目性を向上させる事ができる。更に、多数の発光ダイオードに比べ、液晶シャッターの消費電力量は低いため、太陽光を受けて発電する太陽電池をその電源とした場合には、太陽電池の面積を小さくする事ができるため、低コストで視線誘導施設を製造する事ができ、商用電源を用いた場合には、ランニングコストを抑える事ができる。
【００１１】
また、前記液晶シートの前面に、液晶シートを保護する保護材を取着するようにすれば、液晶シートに耐久性を付与する事ができ、長期にわたり視線誘導効果を持った視線誘導体を供用することができ好ましい。
【発明を実施するための最良の形態】
【００１２】
本発明に係わる最良の実施の形態について、図面に基づき以下に具体的に説明する。
図１は本発明に係わる視線誘導体を道路用視線誘導標に適用した場合の実施の一形態を示す正面図、図２は図１のＡ−Ａ断面図、図３は図１に示した道路用視線誘導標の他の実施形態を示す説明図である。
【００１３】
Ｒ及びＲ’は本発明に係る視線誘導体、１及び１’は視線誘導標、１１及び１１’は地面ＧＬに立設し視線誘導標１、１’を構成する支柱、１２は視線誘導体Ｒの側面、背面を保護する枠体、２は液晶シート、２１は液晶シート２をプリズム反射体４に接合する接合層、３は液晶シート２の前面を保護する保護シート、３１は液晶シート２に保護シート３を接合する接合層である。
【００１４】
プリズム反射体４は、ポリカーボネート、アクリル、ポリ塩化ビニル等の透光性合成樹脂等によって成型されるものであり、その裏面にプリズム４１加工が施されている。このプリズム反射体４は前面より入射した車両のヘッドライト等の光が前記プリズム４１により再帰反射されて光源方向に回帰するようになされている。
【００１５】
液晶シート２は、リード線（図示せず）を通し電圧が印加された状態で、内部の分子が配向され光を透過し、電圧が除去された状態で、内部の分子の配向が除され光を遮断するようになされており、接合層２１を介してプリズム反射体４の前面に接合されている。
【００１６】
保護シート３は、接合層３１を介して液晶シート２の前面に接合されており、その材質としては、ポリエチレン、ポリエチレンテレフタラート等、耐候性が良好で良く内側の液晶シートの耐候劣化を防ぐ事ができる透光性合成樹脂を用いて形成され、接合層３１はＥＶＡ系樹脂やアクリル系樹脂が主成分である粘着剤が好適に使用される。
【００１７】
視線誘導体Ｒを保護する枠体１２は、通常アルミニウムや鉄等の金属またはポリエチレン、ＡＢＳ樹脂、ＦＲＰ、ポリカーボネート、ＡＡＳ樹脂等の合成樹脂で形成される。プリズム反射体４の背面には、空気層１３を介して裏板５が超音波接着等により密閉接合され、空気層１３内に水分や塵埃等が入るのを防止している。
【００１８】
ここで、液晶シート２に電圧を印加した状態で、上述の如き構成の視線誘導体Ｒに、車両のヘッドライト等の光が視線誘導標１に照射されると、その光は保護シート３、接合層３１、液晶シート２、接合層２１、プリズム反射体４の順に入射し、プリズム４１により再帰反射されて光源方向に回帰する。また、液晶シート２に印加された電圧を除去すると、液晶シート２内部の分子は配向を除され光を遮断するため、車両のヘッドライト等の光は再帰反射しなくなる。従って、所定の時間間隔で液晶シート２に印加する電圧をＯＮ／ＯＦＦさせる制御部（図示せず）を視線誘導標１に持たせるにより、車両のドライバーに対し、ヘッドライト等の光の反射と非反射、即ち点滅状態を提供することができるため、視線誘導標１の誘目性を向上するようになすことができる。また、液晶シート２に印加する電圧を徐々に上昇／下降させるようにすれば、視線誘導標１の反射輝度を徐々に変化させて、ドライバー等に視認させることもできる。
【００１９】
また、図３に示す矢印型の視線誘導体Ｒ’が地面ＧＬに立設する支柱１１’に取着された視線誘導標１’を複数個、道路のカーブ地点の側縁に設置され、各々の矢印型の視線誘導体Ｒ’に印加する電圧のＯＮ／ＯＦＦを、矢印が車両の進行方向に順次流れるように制御するようになされている。このように視線誘導体Ｒ’を制御すれば、車両のドライバーに前方の道路線形を認識させる事ができ、路外への逸脱事故等を防止する事ができる。
【図面の簡単な説明】
【００２０】
【図１】本発明に係わる視線誘導体の、実施の一形態を示す正面図である。
【図２】図１のＡ−Ａ断面図である。
【図３】本発明に係わる視線誘導体の、他の実施形態を示す説明図である。
【符号の説明】
【００２１】
Ｒ、Ｒ’      視線誘導体
１、１’      視線誘導標
１１、１１’  支柱
１２          枠体
１３          空気層
２            液晶シート
２１          接合層
３            保護シート
３１          接合層
４            プリズム反射体
４１          プリズム
５            裏板
ＧＬ          地面
【図１】
2006207169.tif 000003
【図２】
2006207169.tif 000004
【図３】
2006207169.tif 000005